(57)【要約】【課題】建築対象敷地における地縄立会に先立つ地縄張りを正確かつ容易になし得ると共に、建築対象地面に対する必要な養生をもなし得るピンの差し込み孔を備える地縄張り用シートを提供する。【解決手段】地縄張りに用いられるシートＡであって、このシートＡが、地縄３０を張るためのピン２０の挿通孔１０を備えていると共に、該挿通孔１０が、仮想の格子の各交点毎に設けてあり、  かつ、隣り合う各挿通孔１０の中心間が建築対象建物の設計に用いたモジュールの所定倍率の間隔としてある地縄張り用シートＡ。【選択図】図３
2009155892.tif 000002
【特許請求の範囲】
【請求項１】
地縄張りに用いられるシートであって、
このシートが、地縄を張るためのピンの挿通孔を備えていると共に、該挿通孔が、仮想の格子の各交点毎に設けてあり、
かつ、隣り合う各挿通孔の中心間が建築対象建物の設計に用いたモジュールの所定倍率の間隔としてあることを特徴とする地縄張り用シート。
【請求項２】
前記シートが防水シートであることを特徴とする請求項１に記載の地縄張り用シート。
【請求項３】
前記孔が、孔縁に補強金物を備えており、かつ、前記ピンの抜き差し可能な塞ぎ手段で覆われていることを特徴とする請求項１又は請求項２に記載の地縄張り用シート。
【発明の詳細な説明】
【技術分野】
【０００１】
この発明は、地縄立会に対応する地縄張りに好都合なシートの提供に関する。
【背景技術】
【０００２】
一般に、建築施工敷地に、当該建築施工に先だって、地縄張りをし、建築施工敷地に対する施工対象建築物の納まり具合や、隣地境界、道路境界等との取り合いなどの立会確認がなされ、この地縄立会で問題が無ければ住宅等の建築施工に着手する。
【０００３】
かかる地縄張りは、施工敷地に対応するように描き込まれている建物図面の一階部分の柱の芯−芯を正確に紐等で当該敷地に表示できるように、境界線等から正確に計測して打ち込まれた杭を基準にして、当該杭から、順次に、方向と長さとを計測しながら杭を打ち、この各杭に紐等を張り込むことで、建築対象建物の外壁ライン等を建築施工敷地に視認できるようにする必要があり、熟練者による正確な作業を要し、多くの作業手間を要する不具合があった。
【０００４】
かかる地縄作業における地縄杭の測量を一人でも容易に行うことができるようにするために、それぞれの地縄杭の所定高さ位置に前記各地縄杭を中心として個々に回転且つ係脱可能な三方向を向く三つのスケール把持部を備えた測量用治具を用いることにより、地縄杭の中心に巻き尺の基準点となるスケールの零点を合わせるための作業を省くことを可能とした区画点測量方法及び測量用治具が提案されている（例えば、特許文献１）。
【０００５】
【特許文献１】特開２００１−３４３２３９
【発明の開示】
【発明が解決しようとする課題】
【０００６】
しかしながら、特許文献１に示される地縄作業における区画点測量方法及び測量用治具は、建築対象敷地内に一人でも容易に地縄杭を測量、設置できるように工夫されているものの、各地縄杭の設置位置を逐一測量、特定する必要があった。
【０００７】
この結果、地縄張り処理に、設計図面に基づく慎重な計測処理など多きの作業手間を要する不具合があった。
【０００８】
また、この種の地縄張り処理にあっては、地縄立会後におけるやり方等の作業に都合のよい作業地盤の養生ができず、降雨等で作業地盤に荒れを生ずることがあり、地縄立会の後における作業に難をもたらすことがあった。
【０００９】
この発明は、かかる建築対象敷地における地縄立会に先立つ地縄張りを確実かつ手際よくなし得ると共に、建築対象地面に対する必要な養生をもなし得る地縄張り用シートの提案をなすものである。
【課題を解決するための手段】
【００１０】
この発明は、前記課題を解決するために、地縄張りに用いられるシートであって、
このシートが、地縄を張るためのピンの挿通孔を備えていると共に、該挿通孔が、仮想の格子の各交点毎に設けてあり、
かつ、隣り合う各挿通孔の中心間が建築対象建物の設計に用いたモジュールの所定倍率の間隔としてあることを特徴とする地縄張り用シートとしてある。
【００１１】
すなわち、地縄立会のなされる建築対象敷地面に対して、前もって、地縄杭の打ち込み位置の表示されているシートを張り込んで、当該シートに表示されている孔を活用して地縄を張るピンを地面に差し入れ起立させて、このピンに順次に地縄を張り込んで地縄立会の地縄の張り込みをなすことができる。
【００１２】
また、このシートに備えられる孔間の間隔を、この地縄の張り込まれる建築敷地に建設される建物における設計に用いたモジュールを基準とし、この基準モジュールの所定倍率、例えば、四分の一倍、二分の一倍、等倍、１．５倍、２．０倍等の倍率の間隔とすることで、例えば、設計図面に表示されている各モジュール値の表示にしたがって、逐一、計測することなく、正確に、目的とする位置にピンをセットすることができる。
【００１３】
また、地縄立会のなされたやり方地面は、そのまま、シートで覆われて保持されており、直ちに、やり方に移行し得るように養生される。
【００１４】
また、前記構成に係るシートを、防水シートとした地縄張り用シートにあっては、当該地縄確認後における雨天等に影響されること無く、作業性の良好な建築地面に対して、適宜、やり方等の作業を施すことができ、施工工程の管理を容易かつ確実になすことができる。
【００１５】
また、前記シートにおける孔の、孔縁が補強金物を備えており、かつ、前記ピンの抜き差し可能な塞ぎ手段で覆われている構成の地縄張り用シートでは、当該シートを用いた際の雨仕舞いが良好とされ、地縄立会のなされた地面の、より確実かつ容易な雨養生をなすことができる。
【発明の効果】
【００１６】
この発明に係る地縄張り用シートにあっては、当該地縄張り用シートによって地縄が張り込まれて建築される建築物の設計に用いられたモジュールの所定倍率の間隔を離した位置毎に、地縄の張り込み用ピンの差し込み孔を備えていることから、設計図面に基づいて逐一、計測することなく、設計図面に表示されている各モジュール値、例えば、０．５モジュール、１．０モジュール、２．０モジュール、４．０モジュール等に基づき、当該モジュールの数値に該当する孔位置に必要なピンを差し込み、この差し込み起立したピンに紐等の地縄を結びつけて地縄張りを、容易かつ正確になし得る利点を備えている。
【発明を実施するための最良の形態】
【００１７】
以下、この発明を実施するための最良の形態に係る地縄張り用シートＡについて具体的に説明する。
【００１８】
図１〜図７は、この発明を実施するための最良の形態に係る地縄張りシートＡを示すものであって、図１では、当該地縄張りシートＡの典型例を、図２は、当該地縄張り用シートＡ’の複数枚を連設して用いる態様をそれぞれ上方から見て、図３は、敷地Ｂに敷き込んだシートＡを用いて地縄３０を張るピン２０を差し入れて、当該ピンに地縄３０を張った状態を上方から見て示している。図４は、」塞ぎ手段１２を備えた補強金物１１をシートＡの穴１０’に差し入れる状態を斜め上方から見て、図５では、この補強金物をシートＡに取り付けた状態の要部を断面して、側方から見て示している。図６は、ピン２０をシートＡの孔１０に差し入れる状態を斜め上方から見て、図７では、この孔１０にピン２０を差し入れて、敷地Ｂにとめつけ、このピン２０に地縄３０を結んだ状態を断面して、側方から見て示している。
【００１９】
まず、  図１〜図７に示される当該発明を実施するための最良の形態に係る地縄張り用シートＡについて説明する。
【００２０】
ここに示される地縄張り用シートＡは、地縄張りに用いられるシートＡであって、
このシートＡが、地縄３０を張るためのピン２０の挿通孔１０を備えていると共に、該挿通孔１０が、仮想の格子の各交点毎に設けてあり、
かつ、隣り合う各挿通孔１０の中心間が、建築対象建物の設計に用いたモジュールの所定倍率の間隔、すなわち、当該モジュールに所定の倍率をなす数を乗じて得られた寸法間隔としてある。
【００２１】
また、ここに示される地縄張り用具は、前記地縄張り用シートＡと、当該地縄張り用シートＡの孔１０に挿通されるピン２０とを備えており、このピン２０が軸部２１の上端を頭部２２としてあると共に、該軸部２１に備えられる鍔部２３との間の軸部２１が頸部２１’とされており、前記孔１０に挿通したピン２０の前記鍔部２３が前記シートＡの孔１０上を覆うように構成してある。
【００２２】
まず、ここで用いられる地縄張り用具を構成する地縄張り用シートＡは、一枚又は複数枚一組のシートＡからなり、地縄立会される敷地Ｂ内に敷き込まれて、当該敷き込みシートＡに備えられている孔１０の所定位置にある孔１０に差し入れたピン２０を地面に起立し、この差し込み起立されたピン２０に紐３０’等を張り込むことで、建設される建物の外壁位置を明確にしうる面積を備えたものとして用意される。
【００２３】
すなわち、当該地縄張り用シートＡは、一枚で地縄立会をなし得る地縄３０の張り込みが可能な面積を備えたシートＡとして用意してあっても、また、順次に、複数枚のシートＡ’を連設することで、地縄立会をなし得る地縄３０の張り込み可能な面積を備えるシートＡを構成するようにしてあってもよい。
【００２４】
かかる複数枚で、地縄立会の地縄張りに用いられるシートＡを構成する場合、この各シートＡ’における前記孔１０−孔１０間の間隔は、すべて同一間隔としてあり、各シートＡ’における連接辺に備えられている各孔１０が連通するように各シートＡ’の側縁を重ね合わせ、この重ね合わせ縁に備えられ、かつ、連通されている孔１０−孔１０にピン２０を差し入れて、これを敷地Ｂ面に刺挿することで、順次にシートＡ’を連結して用いることができる。なお、かかるシートＡ’の連結を円滑かつ確実になし得るように連結対象とされる各シートＡ’を矩形とし、各辺に沿って、前記設計に用いられたモジュールの所定倍率の寸法間隔毎に前記孔１０を並設しておくことが好ましい。
【００２５】
また、かかるシートＡは、伸縮して各孔１０間寸法にばらつきを生じない素材で構成される。すなわち、孔１０にピン２０を差し入れて当該シートＡを支持した状態で該シートＡを展張する際に、ピン２０に支持されている孔１０と、展張されるシートＡ面にある孔１０との間の寸法が、所期の設計モジュールの所定倍率からなる設定寸法通りであるような素材によって構成される。
【００２６】
また、かかるシートＡは、耐水性、防水性を備えるシートＡを用いることが好ましい。すなわち、張り込まれる敷地Ｂ面における濡れに影響されることがなく、また、雨水等を遮断して、当該シートＡで覆った敷地Ｂ面の濡れだしを防ぎ得る素材で構成してあることが好ましい。
【００２７】
すなわち、当該シートＡは、当該シートＡ上における各種の作業等を、敷地Ｂ面に影響を受けること無くなし得ると共に、降雨等に際しても、この地縄立会の直後から直ちに、やり方等の作業の着手をなし得るように、当該敷地Ｂの養生をなすように機能する素材によって構成することが好ましい。
【００２８】
かかる地縄張り用シートＡは、単一素材で構成されたシートであっても、複合素材によって構成された素材であってもよく、十分に引っ張り強さを備える厚さに構成されている単一のプラスチック素材からなるシートや、繊維、メッシュ、布帛等で補強されたプラスチック素材からなるシート等が都合よく用いることができる。
【００２９】
かかるシートＡは、例えば、ビニルシートで構成することができる。かかるビニルシートは、例えば、巻き込み可能な柔軟性と、展張時における孔１０間寸法の延び出しを生ずることのない非伸張性とを備えたものが好適に用いられる。
【００３０】
かかるシートＡは、各種のプラスチックシート、例えば、透明、半透明のビニルシートを用いることができる。このように、透明、半透明のプラスチックシートにあっては、当該シートを敷き込んだ地縄張り込み敷地Ｂ面の状態を当該シート面を介して視認することができる。
【００３１】
かかるシートＡは、前記地縄張りに用いうるものであれば、いかなる形状からなるものであってもよく、典型的には、矩形のシートＡが用いられる。
【００３２】
このシートＡに設けられる孔１０は、おって説明する地縄３０用の紐３０’の結び付けに用いられるピン２０の挿通、差し込み、起立できる孔径を備え、しかも、当該シートＡを敷地Ｂに敷き込んで地縄立会のされる建物の設計に用いたモジュールの所定倍率の間隔毎に等間隔に設けてある。
【００３３】
すなわち、このシートＡに備えられる孔１０は、当該シートＡ面上の仮想の格子の各交点毎に、前記の態様で設けてあり、その孔縁に環状の補強金物１１、例えば、腐食し難いアルミ材等からなる環状の補強金物１１を設けてある。かかる孔縁の補強は、例えば、アルミ材からなる鳩目１１ａのカシメつけによって構成することができる。
【００３４】
また、この図示例にあっては、この孔１０を適宜の塞ぎ手段１２によって塞ぎ、当該孔１０から雨水等がシートＡの下側にまわらないように配慮されている。
【００３５】
この孔１０の塞ぎ手段１２は、この図示例では、前記鳩目１１ａにおける湾曲縁部１１ａ’上を覆って、この鳩目１１ａの湾曲縁部１１ａ’側上を塞ぐ円形の弾性キャップ１２’を示してある。この弾性キャップ１２’は、平面視で、ほぼ円形をなす表面部１２ａと、その周縁部に斜め下方に張り出す張出部１２ｂと、当該張出部１２ｂから反転して前記表面部１２ａに向けて斜上するように延設されている弾性保持部１２ｃとを備えて構成してあり、外径が５ｍｍほどの鳩目１１ａの湾曲縁部１１ａ’の上側を表面部１２ａで覆うように弾性保持部１２ｃを当該鳩目１１ａの周縁部にある湾曲縁の内側に押し入れるようにして、この弾性保持部１２ｃと前記張出部１２ｂとの間に前記鳩目１１ａにおける湾曲縁部１１ａ’を挟み入れ用意する。
【００３６】
かかる塞ぎ手段１２を備える鳩目１１ａを、シートＡに開設した穴１０’に脚部１１ａ”を挿入し、この穴１０’の一方側の穴１０’周面に前記塞ぎ手段１２を挟み込んだ鳩目１１ａの湾曲縁部１１ａ’を押し当て、ジグを用いて、当該脚部１１ａ”を他方側の穴１０’周面に拡開変形することで、当該拡開変形脚と前記湾曲縁部１１ａ’との間に前記塞ぎ手段１２を取り込んだ状態で取り付け、環状補強金物１１を構成する。
【００３７】
なお、前記塞ぎ手段１２は、周縁部にある張出部１２ｂで囲まれた表面部１２ａに、その、ほぼ中央から当該張出部１２ｂ側に向けて複数本の切れ目１２ｄを設けてある。すなわち、この塞ぎ手段１２は、張出部１２ｂ側で当該張出部１２ｂに連設されて、その表面部１２ａの中央側で鋭角をなす三角形状の複数の塞ぎ片１２ｅで、当該孔１０を塞いだ構成としてあり、ピン２０で塞がれていない当該シートＡにある各孔１０から雨水が、シートＡの裏面側に侵入する不具合を避けることができる。
【００３８】
かかるシートＡに備えられる孔１０は、孔１０の中心間の間隔が、地縄立会をする建物の設計に用いたモジュールの所定倍率の間隔を離して、すなわち、当該モジュールに所定の倍率をなす数を乗じて得られた寸法間隔を離して、当該シートＡ面に対して仮想の格子の各交毎に、等間隔をなすように設けてある。
【００３９】
例えば、設計時におけるモジュールを、９１０ｍｍとして設計した建物の地縄張り用シートＡにあっては、当該モジュールの四分の一倍である２２７．５ｍｍ、二分の一倍である４５５ｍｍ、等倍である９１０ｍｍ、１．５倍である１３６５ｍｍ等の任意の所定倍率の間隔を孔１０間の寸法とした複数の孔１０を、仮想の格子における各交点毎に等間隔に設けるようにしたシートＡを、前もって構成、用意する。
【００４０】
かかる地縄張り用シートＡと共に地縄張り用具を構成するピン２０は、シートＡの建築敷地Ｂに対する止着及び紐３０’等の地縄３０の張り込みに用いられるものであって、前記シートＡにおける孔１０に挿通されて、当該シートＡの敷き込み地面に差し入れ得る形態のものであれば、いかなる素材からなるものであっても、また、いかなる形状からなるものであってもよい。
【００４１】
この図示例に係るピン２０は、軸部２１の一端に、ハンマー打ちに都合のよい円盤状の頭部２２を一体に備えていると共に、この頭部２２との間の軸部２１を頸部２１’として該軸部２１の周側部から一体に張り出す円盤状の鍔部２３を備え、この鍔部２３から下方にある軸部２１が挿通軸部２１”を構成するようにしてある。
【００４２】
かかるピン２０は、例えば、これをプラスチック製、木材製、金属製等、いかなる素材によって構成してあってもよく、典型的には直径がほぼ３ｍｍ程度の棒状体のものとして構成、用意される。かかるピン２０は、例えば、直径がほぼ３ｍｍの軸に直径がほぼ５ｍｍの鍔部２３を備えるピン２０とすることで、シートＡの各孔１０に差し入れて、地縄３０用の紐３０’を結んで地縄張りに都合のよい支持手段としてのピン２０を構成することができ、前記孔１０を鍔部２３で都合よく塞ぐことができる。また、この直径が、ほぼ３ｍｍのピン２０を前記シートＡに備えられる外径が５ｍｍほどの鳩目１１ａ内に構成される孔１０内に挿通することで、当該シートＡの孔１０を活用して、確実に、柱の芯−芯間を表示するように地縄張りをなすことができる。
かかるピン２０は、例えば、間伐材を加工して構成、用いることができる。
【００４３】
なお、前記シートＡは、ビニルシート等のプラスチックシートで構成することで、洗浄が可能であり、反復した使用が可能とされる。また、必要に応じて丸め込み、あるいは、折り畳むことで、搬送、保管が容易とされる。
【００４４】
また、かかるシートＡは、一枚のシートＡの面積を、一棟分の地縄張りに対応し得る大きさを備えたものとして構成してあっても、複数枚のシートＡ’を適宜、連結することで、一棟分の地縄張りを可能とする面積を備えるシートＡとすることができる。
【００４５】
図２は、複数枚のシートＡ’の連結によって、建築物の地縄立会に必要な地縄張り用のシートＡを構成するものであって、各シートＡ’に備えられる孔１０−孔１０間の間隔が等間隔のシートＡ’を用意し、このシートＡ’の周側縁にある孔１０を、当該シートＡ’に連結を予定されるシートＡ’における周側縁にある孔１０に連通するように各シートＡ’を重ね合わせて、この連通状態にある孔１０に前記ピン２０を挿通し、これを敷地Ｂ面に突き刺すことで、順次に、必要枚数のシートＡ’を連結し、地縄張りに必要な面積のシートＡ面を構成する。
【００４６】
かかる地縄張り用シートＡは、典型的には矩形のシートＡとしてあり、各敷地の方位、隣接地との境界線ｙ、道路との境界線ｙ、隣接する建物の現況等を総合的に勘案して、敷地Ｂにおける所定位置に、当該シートＡの一隅部をピン２０で止めつける。
【００４７】
例えば、北側をなす敷地境界線ｙ’と、これに連続している東西いずれか一方の敷地境界線ｙ”とから予定された間隔ｘ、ｘ’を離すように計測した位置に、当該シートＡの一隅部にある孔１０にピン２０を挿通して当該矩形シートＡを敷地Ｂに止めつけ、例えば、北側境界線ｙ’に当該シートＡの一側辺が平行をなすようにして、当該辺の他端隅部を敷地境界線ｙ’から間隔ｘを離すように敷地Ｂにピン２０で止めつける。
【００４８】
この状態で、シートＡを歪みなく拡げることで、建て込まれる建物の設計に用いたモジュールの所定倍率の間隔毎に孔１０を備える地縄張り面を構成することができる。
【００４９】
このように張り込まれたシートＡにおける孔１０を活用して、設計図面に表示されている地縄表示の必要箇所を、これに対応する当該シートＡの孔１０−孔１０に差し入れたピン２０間に紐３０’等の地縄３０を張ることで、必要とされる地縄立会のための地縄張りをなすことができる。
【００５０】
すなわち、地縄立会のなされる建物の設計に用いられたモジュールの所定倍率の間隔毎に孔１０を格子状に備えるシートＡを、敷地境界線ｙ等の基準線に対して正確に位置づけて、敷地Ｂ面に張り設けることによって、従前の地縄張りにおける不具合、すなわち、地縄張りに用いられるピン２０の差し込み位置を、基準位置から逐一、方位と距離とを測定しながら特定し、当該特定位置毎にピン２０を打つ手間を無くし、敷地境界線ｙ等の基準線から正確に位置づけられた位置に、簡易かつ正確にピン２０を射し込むことができ、正確な地縄張りを、短い作業手間で、容易になすことが可能とされる。
【００５１】
例えば、設計モジュールを９１０ｍｍとした建物の地縄張り用シートＡとして、当該モジュールの四分の一を孔間の間隔として格子状に孔１０を備えるシートＡを用いた地縄張りでは、例えば、２モジュール（１８２０ｍｍ）の柱−柱間に地縄３０を張って外壁の一部を表示する場合、当該外壁をなす位置にある孔１０に対して、２÷０．２５＝８となり、孔１０−孔１０間の８区画間が連続されるように、１個目と９個目の孔１０とに、ピン２０を打って、これに地縄３０を張ることで、別段に測定をなすことなく、地縄３０を所定の１８２０ｍｍ間隔の柱−柱の芯−芯間に張ることができる。
【００５２】
また、前記シートＡをビニルシート等の耐水性、非透水性のプラスチックシートとすることによって、建築施工面を都合よく養生し、例えば、雨水の溜まりや、泥状化等の雨天による影響を受けることなく適宜やり方等の作業に着手することができる。また、事前に施工された盛り土や敷き込み砂等を保全した状態で地縄立会をなすことができる。
【００５３】
また、前記地縄張り用具は、適宜、汚れを落としておくことによって、再使用が可能であり、コストパフォーマンスに富んでいる。また、搬出入、保管も容易であり、各現場に都合よく搬出入でき、地縄立会に用いることができる。
【図面の簡単な説明】
【００５４】
【図１】典型的な地縄張り用シートの平面図
【図２】他の地縄張り用シートの平面図
【図３】同シートを敷地に拡げてピンを差し込み、地縄を張り込んだ状態を示す平面図
【図４】同シートの要部と弾性キャップで覆われた補強金物とを示す斜視図
【図５】同弾性キャップで覆われた補強金物をシートに取り付けた状態の要部断面図
【図６】同シートにピンを差し込む状態を示す斜視図
【図７】同ピンを用いてシートを敷地に止めつけて地縄を張った状態を示す要部断面図
【符号の説明】
【００５５】
１０  孔
２０  ピン
３０  地縄
Ａ  シート
Ｂ  敷地
【図１】
2009155892.tif 000003
【図２】
2009155892.tif 000004
【図３】
2009155892.tif 000005
【図４】
2009155892.tif 000006
【図５】
2009155892.tif 000007
【図６】
2009155892.tif 000008
【図７】
2009155892.tif 000009